(57)【要約】【課題】二次電池の充電の際にでも予備電池と交換して自由に携帯電話機を使用することができると共に、携帯電話機を使用中に消耗した方の電池を、携帯電話機を購入した際にセット（付属品）として付いてきた携帯電話機充電用支持台を用いて充電することができること。【解決手段】携帯電話機充電用支持台のプラグを家庭用のコンセントに差し込む工程Ａと、予備電池として用いられる第２被充電二次電池を卓上式充電機本体の出力端子部へと嵌め込む電池セット工程Ｂと、前記支持台の接続端子に被接続端子が接続するように充電機本体を載せ、整流回路により交流電源を直流電源に変換して消耗した第２被充電二次電池に充電する充電工程Ｃと、この充電工程の間、携帯電話機を充電中の前記第２被充電二次電池と交換可能な充電済み第１被二次電池を電源として使用する携帯電話機使用工程Ｄとから成る携帯電話機の二次電池の使用方法。【選択図】　図２
2004140579.tif 000002
【特許請求の範囲】
【請求項１】
携帯電話機充電用支持台のプラグを家庭用のコンセントに差し込む工程Ａと、予備電池として用いられる第２被充電二次電池を卓上式充電機本体の出力端子部へと嵌め込む電池セット工程Ｂと、前記支持台の接続端子に被接続端子が接続するように充電機本体を載せ、整流回路により交流電源を直流電源に変換して消耗した第２被充電二次電池に充電する充電工程Ｃと、この充電工程の間、携帯電話機を充電中の前記第２被充電二次電池と交換可能な充電済み第１被二次電池を電源として使用する携帯電話機使用工程Ｄとから成る携帯電話機の二次電池の使用方法。
【請求項２】
請求項１に於いて、充電機本体１１の一側面には、交換可能な被充電二次電池９（１０）が嵌合する嵌合凹所１３が形成され、一方、充電機本体１１の他側面にはシート状の物を差し込み収納することができる偏平状収納部１５が形成されていることを特徴とする携帯電話機の二次電池の使用方法。
【発明の詳細な説明】
【０００１】
【発明の属する技術分野】
この発明は、近年普及している携帯電話機（ここではＰＨＳも含まれる）の二次電池の使用方法に関する。
【０００２】
【従来の技術】
携帯電話機の二次電池は、携帯電話機を購入すると、商慣習上、当該携帯電話機に必ず１個付いてくるが、サブ（予備の二次電池）は付いてこない。したがって、当該携帯電話機に適合する予備電池は別個に購入する必要がある。
【０００３】
ところで、携帯電話機は常時携帯することに意味があることから、今では携帯電話機を所持している多くの人は、外出先、旅行先など屋外のみならず、居間、自分の部屋など屋内でも常に持参或いは直側に占有しているといえる。このように携帯電話機を所持〜占有している場を問わず、携帯電話機の二次電池は携帯電話機の使用頻度に対応してその消耗率が激しい。
【０００４】
そこで、二次電池が消耗した場合、携帯電話機の使用不可能な状態を少しでも回避するために、サブ（予備の二次電池）と交換し、その間、携帯電話機を使用することができれば非常に便利であると共に、携帯電話機の使用中に消耗した方の二次電池を充電することができればなおさら便利である。
【０００５】
ところが、現在、携帯電話機の二次電池が消耗すると、二次電池を交換することなく、当該携帯電話機をそのまま付属品の携帯電話機充電用支持台に載せて充電をするのが一般的である。
【０００６】
したがって、従来の携帯電話機の二次電池の使用方法は、携帯電話機充電用支持台の電気コードのプラグを家庭用コンセントに差し込んで携帯電話機を充電している間は、自由に携帯電話機を持ち歩いて使用することができない、という問題点があった。
【０００７】
【発明が解決しようとする課題】
本発明は、以上のような従来の問題点に鑑み、本発明の目的は、２つの二次電池の交換が交互に可能であることを前提条件として、携帯電話機の一方の二次電池が消耗した際、予備電池と交換して携帯電話機を自由に使用することができると共に、携帯電話機の使用中、消耗した方の電池を、携帯電話機を購入した際にセット（付属品）として付いてきた携帯電話機充電用支持台を用いて充電することができることである。
【０００８】
【課題を解決するための手段】
携帯電話機の二次電池の使用方法は、携帯電話機充電用支持台のプラグを家庭用のコンセントに差し込む工程Ａと、予備電池として用いられる第２被充電二次電池を卓上式充電機本体の出力端子部へと嵌め込む電池セット工程Ｂと、前記支持台の接続端子に被接続端子が接続するように充電機本体を載せ、整流回路により交流電源を直流電源に変換して消耗した第２被充電二次電池に充電する充電工程Ｃと、この充電工程の間、携帯電話機を充電中の前記第２被充電二次電池と交換可能な充電済み第１被二次電池を電源として使用する携帯電話機使用工程Ｄとから成ることを特徴とする。
【０００９】
【発明の実施の形態】
図１乃至図３を参照にして本発明の一実施例を説明する。図１は本発明の工程図、図２は本発明の工程を理解するための概念的な説明図、図３は本発明に使用される装置の説明図である。
【００１０】
まずＡは、携帯電話機充電用支持台１のプラグ２を家庭用のコンセント（交流電源）３に差し込む工程である。この差し込む工程Ａでは、市販されている携帯電話機４を購入した際にセット（付属品）として付いてきた携帯電話機充電用支持台１を用いる。普通一般にこの種の支持台１は、先端部にプラグが設けられた接続コード６と、支持台１の支持部凹所７の底壁内面に交流電源用金属製接続端子（説明の便宜上、図にはプラスとマイナスを示す。）８，８とを有している。
【００１１】
前記接続端子８，８は、板バネ状或いは小突起状に形成され、例えば付勢バネのバネ力により常時接触部分が突出している。したがって、携帯電話機充電用支持台１は、例えば底壁外面にプラスとマイナスの被接続端子を有する携帯電話機４を支持台５の支持部凹所７にセットすると、当然、携帯電話機４を充電することができる。しかし、携帯電話機４を充電するということになると、前述したように充電中は携帯電話機４を自由に持ち歩いて使用することはできない。
【００１２】
次にＢは、予備電池として用いられる第２被充電二次電池１０を卓上式充電機本体１１の出力端子部１２へと嵌め込む電池セット工程である。卓上式充電機本体１１の出力端子部１２は、携帯電話機４の第１被充電二次電池９及び第２被充電二次電池１０をそれぞれ充電する充電端子としての機能を果す。
【００１３】
すなわち、携帯電話機４側の一つの被充電二次電池９（１０）が消耗した時は、充電機本体１１で充電したもう一つの被充電二次電池１０（９）を携帯電話機４にセットし、一方、消耗した前記第１又は第２被充電二次電池９（１０）を充電機本体１１の一側面に形成された嵌合凹所１３に嵌め込む。したがって、２個の二次電池は、消耗した時は、交互に交換して充電され、かつ、携帯電話機４の電源として使用される。
【００１４】
ところで、卓上式充電機本体１１の形態に関しては特に限定するものではないが、例えば図３で示すように片手で握ることができる矩形板状或いは台状に形成されている。本実施例では、前述したように一側面（正面側）に第１又は第２被充電二次電池９（１０）セット用の嵌合凹所１３が形成され、一方、他側面（背面側）にシート状の物（例えば薄型拡大レンズ）１４を差し込み収納することができる偏平状収納部１５が形成されている。そして、その底外壁面に充電用支持台１の接続端子８，８と接続可能な被接続端子部１６，１６が設けられている。
【００１５】
次にＣは、支持台１の内壁面側の接続端子８，８に底部側の被接続端子１６，１６が接続するように板状或いは台状の充電機本体１１を載せ、内部の整流回路１８により交流電源を直流電源に変換して消耗した第２被充電二次電池１０に充電する充電工程である。充電機本体１１の整流回路１８は、公知の整流素子（例えばダイオードによる整流）が用いられている。整流回路１８は、家庭用電源が交流であるのに対し、電池は直流であることから用いられている。
【００１６】
したがって、充電用電源として自動車に搭載のバッテリーを用いる場合には、充電機本体１１は直流電流を降圧・昇圧する素子や直流電流を制御する制御回路を用いることができると共に、前述した電気コード６の先端部のプラグ２も、自動車用接続ジャックに変えることができる。
【００１７】
最後にＤは、この充電工程Ｃの間、所持する携帯電話機４を充電中の第２被充電二次電池と交換可能な充電済み第１被二次電池を電源として使用する携帯電話機使用工程である。この携帯電話機使用工程Ｃの間、所望する時は、消耗した二次電池を充電することができる。
【００１８】
【実施例】
本発明の実施例に用いられる充電機本体１１の他側面（背面側）にはシート状拡大レンズ１４を差し込み収納することができる偏平状収納部１５が形成されているが、この偏平状収納部１５には、シート状拡大レンズ１４よりも薄いシート状の印刷物（プリペイドカード）も当然収納することができる。
【００１９】
【発明の効果】
以上の説明から明らかなように、本発明にあっては、次に列挙するような作用・効果がある。
（１）携帯電話機の二次電池が消耗した時、携帯電話機充電用支持台と充電機本体を利用した充電済み予備電池と交換して自由に携帯電話機を使用することができる。換言すれば、消耗した方の二次電池を充電している間でも携帯電話機を自由に持ち歩いて使用することができる。したがって、携帯電話機の携帯特性に適合する。
（２）例えば携帯電話機を使用中、消耗した方の電池を、携帯電話機を購入した際にセット（付属品）として付いてきた携帯電話機充電用支持台を用いて充電することができる。したがって、付属品としての支持台を有効的に利用することができる。
（３）消耗した二次電池を充電機本体にセットした上で、充電機本体をそのまま携帯電話機充電用支持台に載せれば良いから、二次電池の充電が簡単である。
（４）請求項２に記載の発明は、偏平状収納部にシート状の印刷物又はシート状拡大レンズを差し込み収納することができるので、なにかと便利である。例えば携帯電話機の表示部の情報を拡大して見る時に身近にシート状拡大レンズがあれば非常に便利である。
【図面の簡単な説明】
【図１】本発明の工程図。
【図２】本発明の工程を理解するための概念的な説明図。
【図３】本発明に使用される装置の概略説明図である。
【符号の説明】
Ａ…差し込む工程、Ｂ…電池セット工程、Ｃ…充電工程、Ｄ…携帯電話機使用工程、１…携帯電話機充電用支持台、２…プラグ、３…コンセント、４…携帯電話機、６…接続コード、７…支持部凹所、８…接続端子、９…第１被充電二次電池、１０…第２被充電二次電池、１１…充電機本体、１２…出力端子部、１３…嵌合凹所、１４…拡大レンズ、１５…偏平状収納部、１６…被接続端子部、１８…整流回路。
【図１】
2004140579.tif 000003
【図２】
2004140579.tif 000004
【図３】
2004140579.tif 000005